(57)【要約】【課題】携帯情報端末が録画予約した放送番組を携帯情報端末にて確実に録画する。【解決手段】携帯情報端末は、録画の重要度を設定した後、予約録画時間の受信成功率を確認する（Ｓ２、Ｓ３）。携帯情報端末は、録画、視聴を行っているかどうかに関わらず放送波の受信レベルを任意の間隔で検出し、それにより得られる受信に関するデータを保存する。この保存された受信に関するデータに上記の受信成功率が含まれる。この受信に関するデータにより、携帯情報端末のユーザの行動パターンによりどの曜日のどの時間帯に受信確率（受信成功率）が下がるのかを判断することができるため、録画予約時の受信可能性の判定の精度を向上することができる。重要度と受信成功率とからバックアップするかを判定し（Ｓ４）、バックアップする場合はＳＴＢに予約情報を送信し（Ｓ６）、その後携帯情報端末は予約録画を実行する。【選択図】図５
2009278569.tif 000002
【特許請求の範囲】
【請求項１】
放送番組の第１の予約録画機能と、放送波の受信感度検出機能と、第１の通信機能とを少なくとも備えた携帯情報端末と、
放送番組の第２の予約録画機能と、前記携帯情報端末との間で通信手段を介して双方向の通信を行う第２の通信機能とを備えた据え置き型情報端末とからなり、
前記携帯情報端末は、
録画、視聴を行っているかどうかに関わらず、前記受信感度検出機能に基づいて放送波の受信レベルを任意の間隔で検出し、その検出により得られた受信成功率と受信日時に関する受信データに基づいて、前記第１の予約録画機能により録画予約した放送番組のバックアップ予約をするか否か判断し、バックアップ予約するときは録画予約時刻及び録画予約番組に関する予約情報を前記第１の通信機能により前記据え置き型情報端末に送信する手段を備え、
前記据え置き型情報端末は、
前記第２の通信機能により前記携帯情報端末から前記予約情報を受信したときは、その予約情報に基づいて、前記携帯情報端末が前記録画予約した放送番組を前記第２の予約録画機能により予約録画を実行する手段を備えた
ことを特徴とする録画予約システム。
【請求項２】
放送番組の第１の予約録画機能と、放送波の受信感度検出機能と、第１の通信機能とを少なくとも備えた携帯情報端末と、
放送番組の第２の予約録画機能と、前記携帯情報端末との間で通信手段を介して双方向の通信を行う第２の通信機能とを備えた据え置き型情報端末とからなり、
前記携帯情報端末は、
録画、視聴を行っているかどうかに関わらず、前記受信感度検出機能に基づいて放送波の受信レベルを任意の間隔で検出し、その検出により得られた受信成功率と受信日時に関する受信データに基づいて、前記第１の予約録画機能により録画予約した放送番組のバックアップ予約をするか否か判断し、バックアップ予約するときは録画予約時刻及び録画予約番組に関する予約情報を前記第１の通信機能により前記据え置き型情報端末に送信する手段と、
バックアップ予約フラグを記憶する記憶手段と、
前記第１の予約録画機能により予約録画を実行した後に、前記記憶手段に前記バックアップ予約フラグが記憶されていることを確認したときは、前記録画予約番組の予約録画実行を示す番組情報を前記第１の通信機能により前記据え置き型情報端末に送信する番組情報送信手段と
を備え、
前記据え置き型情報端末は、
前記第２の通信機能により前記携帯情報端末から前記予約情報を受信したときは、その予約情報に基づいて、前記携帯情報端末が前記録画予約した放送番組を前記第２の予約録画機能により予約録画を実行する手段と、
前記予約録画実行後に前記第２の通信機能により前記携帯情報端末から前記番組情報を受信したときは、その番組情報が示す予約録画した放送番組の録画データを消去する消去手段とを備えた
ことを特徴とする録画予約システム。
【請求項３】
前記携帯情報端末は、前記第１の予約録画機能により実行した予約録画に失敗した時は、その予約録画に失敗した録画予約番組の番組情報を前記第１の通信機能により前記据え置き型情報端末に送信する録画予約失敗番組情報送信手段を更に有し、
前記据え置き型情報端末は、前記第２の通信機能により前記携帯情報端末から前記予約録画に失敗した録画予約番組の番組情報を受信したときは、その番組情報が示す予約録画に失敗した放送番組の録画データを、前記第２の通信機能により前記携帯情報端末へ送信する録画データ送信手段を更に有することを特徴とする請求項２記載の録画予約システム。
【請求項４】
前記携帯情報端末は、前記受信データの受信成功率と、予約録画した放送番組の録画の重要度に基づいて、前記第１の予約録画機能により録画予約した放送番組のバックアップ予約をするか否か判断することを特徴とする請求項１乃至３のうちいずれか一項記載の録画予約システム。
【請求項５】
前記携帯情報端末は、前記受信成功率が所定のしきい値以下のときは前記重要度に関係なく、又は前記重要度が所定の値以上の高い重要度のときは前記受信成功率に関係なく、前記第１の予約録画機能により録画予約した放送番組のバックアップ予約をすることを特徴とする請求項４記載の録画予約システム。
【請求項６】
所望の放送番組を予約録画する携帯情報端末と、前記携帯情報端末が予約録画した前記所望の放送番組のバックアップ録画を行う据え置き型情報端末とが、双方向の通信手段を介して接続されたシステムの録画予約方法であって、
前記携帯情報端末が、録画、視聴を行っているかどうかに関わらず、放送波の受信レベルを任意の間隔で検出し、受信成功率と受信日時に関する受信データを取得する第１のステップと、
前記受信データに基づいて、録画予約した放送番組のバックアップ予約をするか否か判断する第２のステップと、
前記第２のステップでバックアップ予約すると判断したときは、録画予約時刻及び録画予約番組に関する予約情報を前記据え置き型情報端末に送信する第３のステップと、
前記据え置き型情報端末が、前記携帯情報端末から送信された前記予約情報を受信する第４のステップと、
受信した前記予約情報に基づいて、前記携帯情報端末が前記録画予約した放送番組の予約録画を実行する第５のステップと
を含むことを特徴とする録画予約方法。
【請求項７】
所望の放送番組を予約録画する携帯情報端末と、前記携帯情報端末が予約録画した前記所望の放送番組のバックアップ録画を行う据え置き型情報端末とが、双方向の通信手段を介して接続されたシステムの録画予約方法であって、
前記携帯情報端末が、録画、視聴を行っているかどうかに関わらず、放送波の受信レベルを任意の間隔で検出し、受信成功率と受信日時に関する受信データを取得する第１のステップと、
前記受信データに基づいて、録画予約した放送番組のバックアップ予約をするか否か判断する第２のステップと、
前記第２のステップでバックアップ予約すると判断したときは、録画予約時刻及び録画予約番組に関する予約情報を前記据え置き型情報端末に送信する第３のステップと、
バックアップ予約フラグを記憶部に記憶する第４のステップと、
録画予約した前記所望の放送番組の予約録画を実行する第５のステップと、
前記予約録画の実行後に、前記バックアップ予約フラグが前記記憶部に記憶されていることを確認する第６のステップと、
前記第６のステップにより前記バックアップ予約フラグの記憶を確認したときは、前記第５のステップで予約録画実行した前記所望の放送番組を示す番組情報を前記据え置き型情報端末に送信する第７のステップと、
前記据え置き型情報端末が、前記携帯情報端末から前記予約情報を受信する第８のステップと、
受信した前記予約情報に基づいて、前記据え置き型情報端末が、前記携帯情報端末が前記録画予約した前記所望の放送番組の予約録画を実行する第９のステップと、
前記第９のステップによる予約録画実行後に前記携帯情報端末から前記番組情報を受信したときは、その番組情報が示す前記所望の放送番組の録画データを消去する第１０のステップと
を含むことを特徴とする録画予約方法。
【請求項８】
前記第５のステップにより実行した予約録画に失敗した時は、その予約録画に失敗した録画予約番組の番組情報を前記据え置き型情報端末に送信する送信ステップと、
前記予約録画に失敗した録画予約番組の番組情報を前記据え置き型情報端末が受信する受信ステップと、
受信した前記番組情報が示す前記予約録画に失敗した放送番組の録画データを、前記携帯情報端末へ送信する録画データ送信ステップとを
更に含むことを特徴とする請求項７記載の録画予約方法。
【請求項９】
前記第２のステップは、前記受信データの受信成功率と、予約録画した放送番組の録画の重要度に基づいて、録画予約した放送番組のバックアップ予約をするか否か判断することを特徴とする請求項６乃至８のうちいずれか一項記載の録画予約方法。
【請求項１０】
前記第２のステップは、前記受信成功率が所定のしきい値以下のときは前記重要度に関係なく、又は前記重要度が所定の値以上の高い重要度のときは前記受信成功率に関係なく、録画予約した前記所望の放送番組のバックアップ予約をすることを特徴とする請求項９記載の録画予約方法。
【請求項１１】
所望の放送番組を予約録画すると共に、予約録画した前記所望の放送番組のバックアップ録画を行う据え置き型情報端末に対して、双方向の通信手段を介して接続された携帯情報端末であって、
録画、視聴を行っているかどうかに関わらず、放送波の受信レベルを任意の間隔で検出し、受信成功率と受信日時に関する受信データを取得する受信データ取得手段と、
前記受信データに基づいて、録画予約した放送番組のバックアップ予約をするか否か判断するバックアップ予約判断手段と、
前記バックアップ予約判断手段でバックアップ予約すると判断したときは、録画予約時刻及び録画予約番組に関する予約情報を前記据え置き型情報端末に送信して、録画予約した前記所望の放送番組の予約録画を前記据え置き型情報端末により実行させる送信手段と
を有することを特徴とする携帯情報端末。
【請求項１２】
所望の放送番組を予約録画すると共に、予約録画した前記所望の放送番組のバックアップ録画を行う据え置き型情報端末に対して、双方向の通信手段を介して接続された携帯情報端末であって、
録画、視聴を行っているかどうかに関わらず、放送波の受信レベルを任意の間隔で検出し、受信成功率と受信日時に関する受信データを取得する受信データ取得手段と、
前記受信データに基づいて、録画予約した放送番組のバックアップ予約をするか否か判断するバックアップ予約判断手段と、
前記バックアップ予約判断手段でバックアップ予約すると判断したときは、録画予約時刻及び録画予約番組に関する予約情報を前記据え置き型情報端末に送信して、録画予約した前記所望の放送番組の予約録画を前記据え置き型情報端末により実行させる第１の送信手段と、
バックアップ予約フラグを記憶部に記憶する記憶手段と、
録画予約した前記所望の放送番組の予約録画を実行する手段と、
前記予約録画の実行後に、前記バックアップ予約フラグが前記記憶部に記憶されていることを確認したときは、予約録画実行した前記所望の放送番組を示す番組情報を前記据え置き型情報端末に送信する第２の送信手段と
を有することを特徴とする携帯情報端末。
【請求項１３】
前記所望の放送番組の予約録画に失敗した時は、その予約録画に失敗した所望の放送番組の番組情報を前記据え置き型情報端末に送信する第３の送信手段と、
前記据え置き型情報端末が送信した前記予約録画に失敗した所望の放送番組の録画データを受信して保存する録画データ受信手段とを
更に有することを特徴とする請求項１２記載の携帯情報端末。
【請求項１４】
前記バックアップ予約判断手段は、前記受信データの受信成功率と、予約録画した放送番組の録画の重要度に基づいて、録画予約した放送番組のバックアップ予約をするか否か判断することを特徴とする請求項１１乃至１３のうちいずれか一項記載の携帯情報端末。
【請求項１５】
前記バックアップ予約判断手段は、前記受信成功率が所定のしきい値以下のときは前記重要度に関係なく、又は前記重要度が所定の値以上の高い重要度のときは前記受信成功率に関係なく、録画予約した前記所望の放送番組のバックアップ予約をすることを特徴とする請求項１４記載の携帯情報端末。
【請求項１６】
所望の放送番組を予約録画すると共に、予約録画した前記所望の放送番組のバックアップ録画を行う据え置き型情報端末に対して、双方向の通信手段を介して接続された携帯情報端末内に設けられたコンピュータにより録画予約を行わせる録画予約プログラムであって、
前記コンピュータに、
前記携帯情報端末が、録画、視聴を行っているかどうかに関わらず、放送波の受信レベルを任意の間隔で検出し、受信成功率と受信日時に関する受信データを取得する第１のステップと、
前記受信データに基づいて、録画予約した放送番組のバックアップ予約をするか否か判断する第２のステップと、
前記第２のステップでバックアップ予約すると判断したときは、録画予約時刻及び録画予約番組に関する予約情報を前記据え置き型情報端末に送信する第３のステップと
を実行させることを特徴とする録画予約プログラム。
【請求項１７】
所望の放送番組を予約録画すると共に、予約録画した前記所望の放送番組のバックアップ録画を行う据え置き型情報端末に対して、双方向の通信手段を介して接続された携帯情報端末内に設けられたコンピュータにより録画予約を行わせる録画予約プログラムであって、
前記コンピュータに、
前記携帯情報端末が、録画、視聴を行っているかどうかに関わらず、放送波の受信レベルを任意の間隔で検出し、受信成功率と受信日時に関する受信データを取得する第１のステップと、
前記受信データに基づいて、録画予約した放送番組のバックアップ予約をするか否か判断する第２のステップと、
前記第２のステップでバックアップ予約すると判断したときは、録画予約時刻及び録画予約番組に関する予約情報を前記据え置き型情報端末に送信する第３のステップと、
バックアップ予約フラグを記憶部に記憶する第４のステップと、
録画予約した前記所望の放送番組の予約録画を実行する第５のステップと、
前記予約録画の実行後に、前記バックアップ予約フラグが前記記憶部に記憶されていることを確認する第６のステップと、
前記第６のステップにより前記バックアップ予約フラグの記憶を確認したときは、前記第５のステップで予約録画実行した前記所望の放送番組を示す番組情報を前記据え置き型情報端末に送信する第７のステップと、
を実行させることを特徴とする録画予約プログラム。
【請求項１８】
前記第５のステップにより実行した予約録画に失敗した時は、その予約録画に失敗した録画予約番組の番組情報を前記据え置き型情報端末に送信する送信ステップを更に含むことを特徴とする請求項１７記載の録画予約プログラム。
【請求項１９】
前記第２のステップは、前記受信データの受信成功率と、予約録画した放送番組の録画の重要度に基づいて、録画予約した放送番組のバックアップ予約をするか否か判断することを特徴とする請求項１６乃至１８のうちいずれか一項記載の録画予約プログラム。
【請求項２０】
前記第２のステップは、前記受信成功率が所定のしきい値以下のときは前記重要度に関係なく、又は前記重要度が所定の値以上の高い重要度のときは前記受信成功率に関係なく、録画予約した前記所望の放送番組のバックアップ予約をすることを特徴とする請求項１９記載の録画予約プログラム。
【発明の詳細な説明】
【技術分野】
【０００１】
本発明は録画予約システム、録画予約方法、携帯情報端末及び録画予約プログラムに係り、特にテレビ受信機能を備えた携帯情報端末における録画予約システム、録画予約方法、携帯情報端末及び録画予約プログラムに関する。
【背景技術】
【０００２】
近年、携帯電話機や音楽プレーヤに代表される携帯情報端末にもテレビ受信機能が搭載されるようになってきている。このようなテレビ受信機能を搭載した携帯情報端末の中には、ユーザが任意の放送番組を予約録画する録画機能を備えたものがある。
【０００３】
しかし、上記の携帯情報端末はユーザが携行して任意の場所で使用されるものであるから、上記の携帯情報端末が予約録画中に電波状況が不安定な屋外などの場所に位置するときには、予約録画した放送番組を正常に録画することができない。また、予約録画中に携帯情報端末の電池切れが生じる可能性もある。
【０００４】
このような場合は録画が正常にできず、また、予約録画した放送番組がその後再放送されるか否か不明である。そこで、携帯情報端末に受信感度検出機能を持たせて録画を失敗しないように受信感度を監視したり、あるいは通信機能を備えて、据え置きタイプのデジタルビデオレコーダと通信して、デジタルビデオレコーダに予約録画した放送番組をバックアップ録画させるシステムが知られている（例えば、特許文献１参照）。
【０００５】
【特許文献１】特開２００７−１８９５６４号公報
【発明の開示】
【発明が解決しようとする課題】
【０００６】
しかしながら、上記特許文献１記載の録画予約システムでは、録画予約の開始前に予約録画した放送番組の受信感度を検出するようにしているため、録画予約実行時の受信可能性の判定の精度が低い。また、たまたま録画予約の開始前の受信感度検出時に所定以上の受信感度が得られない場合は、予約開始時刻以降に所定の以上の受信感度が得られるようになっても、携帯情報端末では予約録画を行わないという可能性がある。
【０００７】
本発明は以上の点に鑑みなされたもので、録画予約した放送番組を確実に携帯情報端末に録画し得る録画予約システム、録画予約方法、携帯情報端末及び録画予約プログラムを提供することを目的とする。
【課題を解決するための手段】
【０００８】
上記の目的を達成するため、本発明の録画予約システムは、放送番組の第１の予約録画機能と、放送波の受信感度検出機能と、第１の通信機能とを少なくとも備えた携帯情報端末と、放送番組の第２の予約録画機能と、携帯情報端末との間で通信手段を介して双方向の通信を行う第２の通信機能とを備えた据え置き型情報端末とからなり、
上記携帯情報端末は、
録画、視聴を行っているかどうかに関わらず、受信感度検出機能に基づいて放送波の受信レベルを任意の間隔で検出し、その検出により得られた受信成功率と受信日時に関する受信データに基づいて、第１の予約録画機能により録画予約した放送番組のバックアップ予約をするか否か判断し、バックアップ予約するときは録画予約時刻及び録画予約番組に関する予約情報を第１の通信機能により据え置き型情報端末に送信する手段を備え、
上記据え置き型情報端末は、
第２の通信機能により携帯情報端末から予約情報を受信したときは、その予約情報に基づいて、携帯情報端末が録画予約した放送番組を第２の予約録画機能により予約録画を実行する手段を備えたことを特徴とする。
【０００９】
また、上記の目的を達成するため、本発明の録画予約方法は、所望の放送番組を予約録画する携帯情報端末と、携帯情報端末が予約録画した所望の放送番組のバックアップ録画を行う据え置き型情報端末とが、双方向の通信手段を介して接続されたシステムの録画予約方法であって、
上記携帯情報端末が、録画、視聴を行っているかどうかに関わらず、放送波の受信レベルを任意の間隔で検出し、受信成功率と受信日時に関する受信データを取得する第１のステップと、受信データに基づいて、録画予約した放送番組のバックアップ予約をするか否か判断する第２のステップと、第２のステップでバックアップ予約すると判断したときは、録画予約時刻及び録画予約番組に関する予約情報を据え置き型情報端末に送信する第３のステップと、据え置き型情報端末が、携帯情報端末から送信された予約情報を受信する第４のステップと、受信した予約情報に基づいて、携帯情報端末が録画予約した放送番組の予約録画を実行する第５のステップとを含むことを特徴とする。
【００１０】
また、上記の目的を達成するため、本発明の携帯情報端末は、所望の放送番組を予約録画すると共に、予約録画した所望の放送番組のバックアップ録画を行う据え置き型情報端末に対して、双方向の通信手段を介して接続された携帯情報端末であって、
録画、視聴を行っているかどうかに関わらず、放送波の受信レベルを任意の間隔で検出し、受信成功率と受信日時に関する受信データを取得する受信データ取得手段と、受信データに基づいて、録画予約した放送番組のバックアップ予約をするか否か判断するバックアップ予約判断手段と、バックアップ予約判断手段でバックアップ予約すると判断したときは、録画予約時刻及び録画予約番組に関する予約情報を据え置き型情報端末に送信して、録画予約した所望の放送番組の予約録画を据え置き型情報端末により実行させる送信手段とを有することを特徴とする。
【００１１】
更に、上記の目的を達成するため、本発明の録画予約プログラムは、所望の放送番組を予約録画すると共に、予約録画した所望の放送番組のバックアップ録画を行う据え置き型情報端末に対して、双方向の通信手段を介して接続された携帯情報端末内に設けられたコンピュータにより録画予約を行わせる録画予約プログラムであって、
上記コンピュータに、
携帯情報端末が、録画、視聴を行っているかどうかに関わらず、放送波の受信レベルを任意の間隔で検出し、受信成功率と受信日時に関する受信データを取得する第１のステップと、受信データに基づいて、録画予約した放送番組のバックアップ予約をするか否か判断する第２のステップと、第２のステップでバックアップ予約すると判断したときは、録画予約時刻及び録画予約番組に関する予約情報を据え置き型情報端末に送信する第３のステップとを実行させることを特徴とする。
【発明の効果】
【００１２】
本発明によれば、録画予約時の受信可能性の判定の精度を向上することができ、これにより、正常な予約録画をより確実に実行でき、予約録画の失敗の割合を大幅に低減できる。
【発明を実施するための最良の形態】
【００１３】
次に、本発明の実施形態について図面を参照して詳細に説明する。
【００１４】
図１は、本発明になる録画予約システムの一実施形態の概略システム構成図を示す。本実施形態の録画予約システムは、携帯情報端末１１と、セットトップボックス（ＳＴＢ）１２と、ネットワーク１３とにより構成されている。携帯情報端末１１及びＳＴＢ１２はネットワーク１３と通信手段１４によって通信が可能である。また、携帯情報端末１１とＳＴＢ１２は有線又は無線での近距離通信手段１５により直接の通信も可能である。
【００１５】
図２は、図１中の本発明になる携帯情報端末１１の一実施形態の概略ブロック図を示す。図２において、携帯情報端末１１は、通信網であるネットワーク１３とＳＴＢ１２との間で通信をなす通信部２１と、操作キーなどの操作部２２と、液晶表示素子（ＬＣＤ）などからなる表示部２３と、スピーカなどからなる出力部２４と、テレビ受信機能、受信感度検出機能を持つ受信部２５と、これら各部の機能制御を行う制御部（ＣＰＵ）２６と、この制御部２６の制御動作をプログラムとして格納すると共に各種のデータやパラメータを格納するメモリ部２７とを含んで構成されている。通信部２１は、ネットワーク１３との間で無線通信する機能と、ＳＴＢ１２との間で有線又は無線で近距離通信を行う機能とを有する。
【００１６】
本実施形態の携帯情報端末１１は、ユーザが任意の放送番組を受信するテレビ受信機能と、その放送番組を予約録画する録画機能を備えており、ユーザが携行して任意の場所で使用可能な携帯電話機や音楽プレーヤである。本実施形態の携帯情報端末１１は、後述するように、放送番組の録画や視聴を行っているかどうかに関係なく、テレビ放送波の受信感度の時間変化を計測して記録しておき、録画予約操作時にはその計測結果から該当録画予約時刻の放送番組の受信可能性を判定する点に特徴がある。また、メモリ部２７には、本発明になる録画予約プログラムが格納されている。
【００１７】
図３は、図１中のＳＴＢ１２の概略ブロック図を示す。図３において、ＳＴＢ１２は、ネットワーク１３及び携帯情報端末１１との間で通信を行うための通信部３１と、各部の制御を行う制御部３２と、データの保存を行うメモリ部３３と、テレビ受信機能を持つ受信部３４とを含んで構成された据え置き型の情報端末である。通信部３１は、ネットワーク１３との間で無線通信する機能と、携帯情報端末１１との間で有線又は無線で近距離通信を行う機能とを有する。ＳＴＢ１２は、携帯情報端末１１を所有しているユーザが個人的に所有していてもよいし、サービス事業者が提供するものであってもよい。
【００１８】
携帯情報端末１１は、録画、視聴を行っているかどうかに関わらず放送波の受信レベルを受信部２５において任意の間隔で検出し、制御部２６がそれにより得られる受信に関するデータをメモリ部２７に保存する。
【００１９】
図４は、メモリ部２７に保存される上記のデータの一例を示す。図４に示すように、上記のデータは、受信を試行した回数の合計を示す合計測定回数と、受信成功回数と、合計測定回数と受信成功回数との比である受信成功率と、その受信を試行した曜日と、時刻とが対応付けられたデータである。上記の時刻は受信を複数回試行した最初の時刻でもよいし、最後の時刻でもよく、要はその受信を試行したときの概略の時刻が分かればよい。
【００２０】
また、上記の受信成功回数は、受信部２５において検出した受信レベルが録画可能であると判定された回数である。従って、合計測定回数と受信成功回数との差が、受信部２５において検出した受信レベルが録画不可となるレベルに下がっているときの回数を示す。これにより、メモリ部２７に保存されるデータにより、携帯情報端末１１のユーザの行動パターンによりどの曜日のどの時間帯に受信確率（受信成功率）が下がるのかを判断することができる。
【００２１】
次に、本実施形態の録画予約設定時の動作について、図５のフローチャートを併せ参照して説明する。
【００２２】
ユーザが携帯情報端末１１の操作部２２を操作して、録画予約時間をセットし（ステップＳ１）、更にその録画予約に関する重要度を設定する（ステップＳ２）。制御部２６は、メモリ部２７に保存されている前記データの中からセットされた録画予約時間の受信成功率を確認する（ステップＳ３）。
【００２３】
続いて、制御部２６は、確認した受信成功率と入力された録画予約に関する重要度とに基づいて、ＳＴＢ１２にバックアップ予約するかどうかを判断する（ステップＳ４）。このステップＳ４の判断では、例えば重要度が最も高い時には受信成功率に関係なくバックアップ予約し、また、受信成功率が所定の閾値以下のときには、重要度に関係なくバックアップ予約し、更に、それら以外の場合には、重要度と受信成功率との両方に基づきバックアップ予約するか否かを判断する。これにより、例えば、重要度が低くなるほど、あるいは受信成功率が高くなるほどバックアップ予約しないと判断される。なお、ステップＳ４のバックアップの判断は、上記のように制御部２６が自動的に行ってもよいが、ユーザが行うことができるように、任意にユーザが選択できるようにすることも可能である。
【００２４】
制御部２６は、バックアップ予約しないと判断した場合は、録画予約処理を終了する（ステップＳ８）。一方、制御部２６は、バックアップ予約すると判断した場合、携帯情報端末１１がネットワーク１３と接続可能かどうかを通信部２１とネットワーク１３との接続シーケンスに基づいて判定する（ステップＳ５）。ここでネットワーク接続不可の場合、制御部２６は、一定時間後にリトライするよう、すなわち一定時間後に再度ネットワーク接続制御を行うようタイマを設定し（ステップＳ９）、予約録画処理を一旦終了する（ステップＳ８）。なお、リトライの回数は、ユーザが事前に設定しておくものとする。
【００２５】
一方、ステップＳ５でネットワーク接続可能と判定した場合、制御部２６は、通信部２１及び通信手段１４によりネットワーク１３を介してＳＴＢ１２へ、録画予約時間や録画する放送番組（録画予約番組）を示す予約情報を無線送信する（ステップＳ６）。続いて、制御部２６は、録画予約番組をバックアップ予約したことを示すバックアップ予約フラグをメモリ部２７に保存し（ステップＳ７）、録画予約処理を終了する（ステップＳ８）。録画予約処理の終了後、録画予約時刻にて録画予約した放送番組を受信部２５で受信し、その録画が制御部２６によりメモリ部２７に対して行われる。
【００２６】
一方、ＳＴＢ１２は、通信部３１を介して上記の予約情報を受信すると（ステップＳ１０）、その予約情報を制御部３２を介してメモリ部３３に保存しておく。その後、ＳＴＢ１２は、予約情報が示す録画予約時間になったときは、録画予約番組を受信部３４で受信し、その受信した番組情報をメモリ部３３に記録する予約録画を実行する（ステップＳ１１）。ＳＴＢ１２は、予約録画の終了により処理を終了する（ステップＳ１２）。
【００２７】
このように、本実施形態によれば、携帯情報端末１１は、録画、視聴を行っているかどうかに関わらず放送波の受信レベルを受信部２５において任意の間隔で検出し、それにより得られた受信に関するデータにより、携帯情報端末１１のユーザの行動パターンによりどの曜日のどの時間帯に受信確率（受信成功率）が下がるのかを判断することができるため、特許文献１記載の録画予約システムに比べて録画予約時の受信可能性の判定の精度を向上することができる。これにより、本実施形態によれば、正常な予約録画をより確実に実行でき、予約録画の失敗の割合を大幅に低減できる。また、本実施形態によれば、録画予約の開始前の受信感度検出時に所定以上の受信感度が得られなくても、上記のデータに基づき予約開始時刻以降に所定の以上の受信感度が得られることが分かっている場合は、携帯情報端末では予約録画を確実に実行することができる。
【００２８】
次に、携帯情報端末１１において、予約録画が正常に終了した場合の動作について、図６のフローチャートを併せ参照して説明する。図６及び後述の図７のフローチャートは、携帯情報端末１１の予約録画動作終了時に起動される。
【００２９】
携帯情報端末１１の制御部２６は、予約録画が終了すると、予約録画が正常に終了したかどうか判断し（ステップＳ２１）、正常に終了したと判断した時は録画を完了した後（ステップＳ２２）、予約録画した放送番組に関するバックアップ予約フラグがメモリ部２７に保存されているかどうか確認する（ステップＳ２３）。
【００３０】
制御部２６は、バックアップ予約フラグが保存されていないと判定したときは、直ちに処理を終了する（ステップＳ２７）。他方、バックアップ予約フラグが保存されていると判定したときは、制御部２６は携帯情報端末１１がネットワーク１３と接続可能かどうかを通信部２１とネットワーク１３との接続シーケンスに基づいて判定する（ステップＳ２４）。ここでネットワーク接続不可の場合、制御部２６は、一定時間後にリトライするよう、すなわち一定時間後に再度ネットワーク接続制御を行うようタイマを設定し（ステップＳ２６）、処理を一旦終了する（ステップＳ２７）。なお、リトライの回数は、ユーザが事前に設定しておくものとする。
【００３１】
一方、ステップＳ２４でネットワーク接続可能と判定した場合、制御部２６は、通信部２１及び通信手段１４によりネットワーク１３を介してＳＴＢ１２へ、録画完了した録画予約番組の番組情報を無線送信した後（ステップＳ２５）、処理を終了する（ステップＳ２７）。
【００３２】
ＳＴＢ１２は、通信部３１を介して上記の番組情報を受信すると（ステップＳ２８）、その番組情報に該当するバックアップ予約してメモリ部３３に録画した録画予約番組のデータは不要のため、メモリ部３３からその録画予約番組のデータを消去する（ステップＳ２９）。この消去動作により携帯情報端末１１側とＳＴＢ１２側の録画データの重複を避けることができる。その後、ＳＴＢ１２は、処理を終了する（ステップＳ３０）。
【００３３】
次に、携帯情報端末１１において、予約録画が異常終了した場合の動作について、図７のフローチャートを併せ参照して説明する。
【００３４】
携帯情報端末１１の制御部２６は、予約録画が終了すると、図６のステップＳ２１において予約録画が正常に終了したかどうか判断し、異常終了したと判断した時は図７のステップＳ３１に進んで録画失敗した旨を携帯情報端末１１の表示部２３に表示する。続いて、制御部２６は、予約録画した放送番組に関するバックアップ予約フラグがメモリ部２７に保存されているかどうか確認する（ステップＳ３２）。
【００３５】
制御部２６は、バックアップ予約フラグが保存されていないと判定したときは、処理を終了する（ステップＳ３８）。他方、バックアップ予約フラグが保存されていると判定したときは、制御部２６はユーザによる操作部２２の操作によりＳＴＢ１２からのデータ転送を行うか選択する（ステップＳ３３）。ＳＴＢ１２からのデータ転送を行わない選択をした場合は、処理を終了する（ステップＳ３８）。
【００３６】
他方、ＳＴＢ１２からのデータ転送を行う選択をした場合は、制御部２６は携帯情報端末１１がネットワーク１３と接続可能かどうかを通信部２１とネットワーク１３との接続シーケンスに基づいて判定する（ステップＳ３４）。ここでネットワーク接続不可の場合、制御部２６は、一定時間後にリトライするよう、すなわち一定時間後に再度ネットワーク接続制御を行うようタイマを設定し（ステップＳ３５）、処理を一旦終了する（ステップＳ３８）。なお、リトライの回数は、ユーザが事前に設定しておくものとする。
【００３７】
一方、ステップＳ３４でネットワーク接続可能と判定した場合、制御部２６は、通信部２１及び通信手段１４によりネットワーク１３を介してＳＴＢ１２へ、録画失敗した録画予約番組の番組情報を無線送信する（ステップＳ３６）。
【００３８】
ＳＴＢ１２は、通信部３１を介して上記の番組情報を受信すると（ステップＳ３９）、その番組情報に該当するバックアップ予約してメモリ部３３に録画した録画予約番組のデータを、メモリ部３３から読み出して通信部３１から送信する（ステップＳ４０）。この送信動作により携帯情報端末１１は、ＳＴＢ１２から録画失敗した録画予約番組のデータをネットワーク１３を介して、又は近距離無線通信手段１５を介して受信し、その受信録画予約番組のデータをメモリ部２７に格納する（ステップＳ３７）。その後、携帯情報端末１１は、処理を終了し（ステップＳ３８）、またＳＴＢ１２も処理を終了する（ステップＳ４１）。このように、本実施形態では、録画予約番組の記録に万一失敗したとしても、ＳＴＢ１２においてバックアップ録画しておいた録画予約番組を携帯情報端末１１に転送して記憶させることができる。
【００３９】
なお、本発明は以上の実施形態に限定されるものではなく、例えばメモリ部２７に保存する受信に関するデータは、図４の合計測定回数や受信成功回数はなくてもよい。また、実施形態ではテレビ放送番組の映像情報及び音声情報の予約録画について説明したが、本発明はデータ放送や、音楽放送などの映像情報を含まない放送番組の予約記録（これも予約録画というものとする）にも適用可能である。なお、メモリ部２７に保存される本発明の録画予約プログラムは、図５乃至図７に示したフローチャートをＣＰＵである制御部２６により実行させるものであり、外部から配信又は取り込まれる。
【図面の簡単な説明】
【００４０】
【図１】本発明の録画予約システムの一実施形態の概略システム構成図である。
【図２】図１中の本発明になる携帯情報端末の一実施形態の概略ブロック図である。
【図３】図１中のＳＴＢの概略ブロック図である。
【図４】携帯情報端末に保存されるデータの一例を示す図である。
【図５】本発明の一実施形態の録画予約設定時の動作説明用フローチャートである。
【図６】本発明の一実施形態の予約録画が正常に終了した場合の動作説明用フローチャートである。
【図７】本発明の一実施形態の予約録画が異常終了した場合の動作説明用フローチャートである。
【符号の説明】
【００４１】
１１  携帯情報端末
１２  セットトップボックス（ＳＴＢ）
１３  ネットワーク
１４  通信手段
１５  近距離通信手段
２１、３１  通信部
２２  操作部
２３  表示部
２４  出力部
２５、３４  受信部
２６  制御部（ＣＰＵ）
２７、３３  メモリ部
３２  制御部
【図１】
2009278569.tif 000003
【図２】
2009278569.tif 000004
【図３】
2009278569.tif 000005
【図４】
2009278569.tif 000006
【図５】
2009278569.tif 000007
【図６】
2009278569.tif 000008
【図７】
2009278569.tif 000009